(57)【要約】【課題】エネルギ−最適運転制御装置を現場サイト毎に導入すると、初期導入コストが過大となり、保守コストも必要で、費用面から容易に導入できない。【解決手段】それぞれ対応するエネルギ−需要設備にエネルギ−供給設備からのエネルギ−を供給する複数の遠隔サイトＡ〜Ｎのそれぞれのエネルギ−情報をネットワ−ク５を介して遠隔サイト一括集中監視システム４で収集し、収集したそれぞれのエネルギ−情報を用いて各遠隔サイトＡ〜Ｎにおけるエネルギ−コストが最小となるように使用エネルギ−制御スケジュ−ルを上記遠隔サイト一括集中監視システム４により計算し、各遠隔サイトＡ〜Ｎにおいて、上記遠隔サイト一括集中監視システム４から上記ネットワ−ク５経由で得た当該使用エネルギ−制御スケジュ−ルにより対応するエネルギ−需要設備及び対応するエネルギ−供給設備を制御運転する複数遠隔サイトの最適化運転制御システムである。【選択図】        図１
2004213420.tif 000002
【特許請求の範囲】
【請求項１】
それぞれ対応するエネルギ−需要設備にエネルギ−供給設備からのエネルギ−を供給する複数の遠隔サイトのそれぞれのエネルギ−情報をネットワ−クを介して遠隔サイト一括集中監視システムで収集し、収集したそれぞれのエネルギ−情報を用いて各遠隔サイトにおけるエネルギ−コストが小さくなるように使用エネルギ−制御スケジュ−ルを上記遠隔サイト一括集中監視システムにより計算し、各遠隔サイトにおいて、上記遠隔サイト一括集中監視システムから上記ネットワ−ク経由で得た当該使用エネルギ−制御スケジュ−ルにより対応するエネルギ−需要設備及び対応するエネルギ−供給設備を制御運転する複数遠隔サイトの最適化運転制御システム。
【請求項２】
エネルギ−を消費するエネルギ−需要設備に対し少なくとも一のエネルギ−供給設備からエネルギ−を購入して供給する装置を持つ複数の遠隔サイトの各々からエネルギ−情報をＷＡＮ経由で遠隔サイト一括集中監視システムで受信し、受信したそれぞれのエネルギ−情報を用いて各遠隔サイトにおけるエネルギ−コストが小さくなるように使用エネルギ−制御スケジュ−ルを上記遠隔サイト一括集中監視システムで計算し、当該使用エネルギ−制御スケジュ−ルをＷＡＮ経由で各遠隔サイトのそれぞれに送信し、当該使用エネルギ−制御スケジュ−ルにより各遠隔サイトでエネルギ−需要設備及びエネルギ−供給設備を制御運転する複数遠隔サイトの最適化運転制御システム。
【請求項３】
エネルギ−を消費するエネルギ−需要設備に対し少なくとも一のエネルギ−供給設備からエネルギ−を購入して供給する装置を持つ複数の遠隔サイトの各々からエネルギ−情報をアナログ電話回線経由で遠隔サイト一括集中監視システムで受信し、受信したそれぞれのエネルギ−情報を用いて各遠隔サイトにおけるエネルギ−コストが小さくなるように使用エネルギ−制御スケジュ−ルを上記遠隔サイト一括集中監視システムで計算し、当該使用エネルギ−制御スケジュ−ルをアナログ電話回線経由で各遠隔サイトのそれぞれに送信し、当該使用エネルギ−制御スケジュ−ルにより各遠隔サイトでエネルギ−需要設備及びエネルギ−供給設備を制御運転する複数遠隔サイトの最適化運転制御システム。
【発明の詳細な説明】
【０００１】
【発明の属する技術分野】
この発明は、例えば、地域冷暖房システム、ビル、工場、店舗、ホテル、病院、学校等のコ−ジェネレ−ションシステム、空調設備、給湯設備等に用いて複数異種の機器により構成されたエネルギ−需要設備、および、エネルギ−需要設備にエネルギ−を供給する複数異種の機器により構成されたエネルギ−供給設備等における、エネルギ−設備を制御運転する複数遠隔サイトの最適化運転制御システムに関するものである。
【０００２】
【従来の技術】
エネルギ−設備の最適運転スケジュ−ル計算方法と、その制御方法に関する従来技術としは、特許第３２１５２７９が提案されている。従来のエネルギ−最適運転制御システムは、リアルタイムに最適運転を計算することで運転効率を上げることを狙いとし、各現場サイトＡ〜Ｎで、各現場サイトＡ〜Ｎのエネルギ−最適運転計算装置で計算を個別に行い、計算結果である制御情報はエネルギ−最適運転計算装置と制御対象機器９〜９ｎとの間のＬＡＮ経由で通信を行う手段をとっている。つまり、従来のエネルギ−最適運転制御システムは、各現場サイトＡ〜Ｎ毎に独立したものとなっており、各現場サイトＡ〜Ｎ毎に個別にエネルギ−最適運転計算をし、各現場サイトＡ〜Ｎ毎に個別にエネルギ−最適運転制御を行っている。
【０００３】
【特許文献】
特許第３２１５２７９号公報（図２２、及びその説明の欄）
【０００４】
【発明が解決しようとする課題】
この従来方式は、確かに運転効率が上がり、ランニングコストは削減できるが、現場サイトＡ〜Ｎごとに、エネルギ−最適運転計算装置での計算を実行するために必要なエネルギ−最適運転制御システム用ハ−ドウェア、ソフトウェアパッケ−ジを用意し、設置、調整する必要があるため、初期導入費用がランニングコスト削減分に比べ可成り高価となる。また、同様に初期導入費用がコ−ジェネレ−ションシステム総コストに占める割合も高くなるため、省コストを大きな狙いとしてコ−ジェネレ−ションシステムを導入するユ−ザにとっては、エネルギ−最適運転制御システムの導入は初期導入の段階で狙いに反する状態となる。
【０００５】
このように、エネルギ−最適運転制御装置を現場サイト毎に導入すると、初期導入費が過大となり、また保守コストも必要で、費用面から導入できないケ−スが多かった。つまり、エネルギ−最適運転制御システムの導入が進まないという問題が出ている。
【０００６】
そこで、エネルギ−最適運転制御システムの導入する場合、エネルギ−最適運転制御システムの導入による各現場サイトにおけるコ−ジェネレ−ションシステムのト−タルコスト上昇比を最小とした上で、運転効率を上げランニングコストを削減し、更には保守コストを削減し、エネルギ−最適運転効果を上げることが必要である。
【０００７】
この発明は、前述のような従来の実情に鑑みてなされたもので、エネルギ−最適運転制御システムの導入による各現場サイトにおけるコ−ジェネレ−ションシステムのト−タルコスト上昇比を最小化し、保守コストを削減し、エネルギ−最適運転効果を上げることを目的とするものである。
【０００８】
【課題を解決するための手段】
この発明に係る複数遠隔サイトの最適化運転制御システムは、それぞれ対応するエネルギ−需要設備にエネルギ−供給設備からのエネルギ−を供給する複数の遠隔サイトのそれぞれのエネルギ−情報をネットワ−クを介して遠隔サイト一括集中監視システムで収集し、収集したそれぞれのエネルギ−情報を用いて各遠隔サイトにおけるエネルギ−コストが小さくなるように使用エネルギ−制御スケジュ−ルを上記遠隔サイト一括集中監視システムにより計算し、各遠隔サイトにおいて、上記遠隔サイト一括集中監視システムから上記ネットワ−ク経由で得た当該使用エネルギ−制御スケジュ−ルにより対応するエネルギ−需要設備及び対応するエネルギ−供給設備を制御運転するものである。
【０００９】
【発明の実施の形態】
実施の形態１．
以下、この発明の実施の形態１を図１〜図９に基づいて説明する。図１は概略システム構成の一例を示す図、図２は図１におけるデ−タ入出力処理周期制御手段のデ−タフロ−を示す図、図３は設備運転情報デ−タ入力手段のデ−タフロ−を示す図、図４は運転スケジュ−ル出力手段のデ−タフロ−を示す図、図５は計算通信処理周期制御手段のデ−タフロ−を示す図、図６は設備運転情報ファイル通信手段のデ−タフロ−を示す図、図７は最適運転スケジュ−ル計算手段のデ−タフロ−を示す図、図８は運転スケジュ−ルファイル通信手段のデ−タフロ−を示す図、図９は計算通信制御定数入力手段のデ−タフロ−を示す図である。
【００１０】
図１において、この発明の実施の形態１の概略全体システムは、図示のように、最適運転計算装置１とファイアウォ−ル機能を有したダイアルアップル−タ２とＬＡＮ３とで構成される遠隔サイト一括集中監視システム４と、ＷＡＮ５と、ファイアウォ−ル機能を有したダイアルアップル−タ６〜６ｎとＬＡＮ７とデ−タ入出力制御装置８とエネルギ−供給設備／需要設備９とで構成され遠隔サイトＡ〜Ｎに設けられた遠隔サイトデ−タ入出力システム１０〜１０ｎとで構成されている。
【００１１】
上記最適運転計算装置１は、計算通信処理周期制御手段１０１（図５のデ−タフロ−により後述する）と、設備運転情報ファイル通信手段１０２（図６のデ−タフロ−により後述する）と、最適運転スケジュ−ル計算手段１０３（図７のデ−タフロ−により後述する）と、運転スケジュ−ルファイル通信手段１０４（図８のデ−タフロ−により後述する）と、計算通信制御定数入力手段１０５（図９のデ−タフロ−により後述する）とにより構成されている。
【００１２】
上記ファイアウォ−ル機能を有したダイアルアップル−タ２は、上記ＷＡＮ５に対する通信回線確立機能及びセキュリティ機能をも持っている。
【００１３】
上記ＬＡＮ３は、上記最適運転計算装置１を上記ＷＡＮ５に接続するロ−カルエリアネットワ−クで、例えばイ−サネット（登録商標）を使用する。
【００１４】
上記ＷＡＮ５は、上記ダイアルアップル−タ２及び上記ダイアルアップル−タ６〜６ｎにより上記遠隔サイトデ−タ入出力システム１０〜１０ｎと上記遠隔サイト一括集中監視システム４とをダイアルアップ接続するワイドエリアネットワ−ク（広域ネットワ−ク）で、例えばＮＴＴによるＩＳＤＮ回線を使用する。
【００１５】
上記ファイアウォ−ル機能を有したダイアルアップル−タ６は、上記ＷＡＮ５に対する通信回線確立機能及びセキュリティ機能をも持っている。
【００１６】
上記ＬＡＮ７は、上記最適運転計算装置１を上記ＷＡＮ５に接続するロ−カルエリアネットワ−クで、例えばイ−サネット（登録商標）を使用する。
【００１７】
上記デ−タ入出力制御装置８は、設備運転情報デ−タを上記エネルギ−供給設備／需要設備９から入力し、運転スケジュ−ルデ−タを上記エネルギ−供給設備／需要設備９に出力する。
【００１８】
上記エネルギ−供給設備／需要設備９は、制御装置（図示せず）を具備した例えばコ−ジェネレ−ション機器、空調機器、給湯機器、等のエネルギ−需要設備及びエネルギ−供給設備である。
【００１９】
上記遠隔サイトＡにおける上記デ−タ入出力処理周期制御手段８０１のデ−タフロ−を示す図２において、周期制御機能８０１１は、上記各遠隔サイトＡ〜Ｎに個別に設定された処理周期等の制御定数８０１２に基づき、設備運転情報デ−タ入力手段８０２（図１にも図示）及び運転スケジュ−ル出力手段８０３（図１にも図示）を所定の周期で起動する。なお、上記遠隔サイトＡ以外の遠隔サイト〜Ｎについては図示してないが、上述の遠隔サイトＡと同じデ−タフロ−である。
【００２０】
上記遠隔サイトＡにおける上記設備運転情報デ−タ入力手段８０２のデ−タフロ−を示す図３において、デ−タ入力処理機能８０２１は、例えば、熱量デ−タ、発電デ−タ、燃料デ−タ、機器状態デ−タ、等の設備運転情報デ−タ８０２２を該当機器から入力し、設備運転情報編集処理機能８０２３により、上記遠隔サイト一括集中監視システム４へ送信する設備運転情報ファイル８０２４を作成する。なお、上記遠隔サイトＡ以外の遠隔サイト〜Ｎについては図示してないが、上述の遠隔サイトＡと同じデ−タフロ−である。
【００２１】
上記遠隔サイトＡにおける上記運転スケジュ−ル出力手段８０３のデ−タフロ−を示す図４において、現在時刻対応デ−タ選択処理機能８０３１により、遠隔サイト内運転スケジュ−ルファイル８０３２から現在時刻に対応した出力デ−タを選択し、機器制御指令出力処理機能８０３３により、機器アナログ制御値８０３４及び機器起動停止指令８０３５を、該当機器に出力する。なお、上記遠隔サイトＡ以外の遠隔サイト〜Ｎについては図示してないが、上述の遠隔サイトＡと同じデ−タフロ−である。
【００２２】
上記遠隔サイト一括集中監視システム４における上記最適運転計算装置１の上記計算通信処理周期制御手段１０１のデ−タフロ−を示す図５において、周期制御処理機能１０１１は、上記遠隔サイトＡ〜Ｎ毎に設定された計算通信制御情報デ−タベ−ス１０１２に基づき、上記遠隔サイトＡ〜Ｎ毎の設備運転情報ファイル通信手段１０１３と、最適運転スケジュ−ル計算手段１０１４と、運転スケジュ−ルファイル通信手段１０１５とを起動する。
【００２３】
上記遠隔サイト一括集中監視システム４における上記最適運転計算装置１の上記設備運転情報ファイル通信手段１０２のデ−タフロ−を示す図６において、通信接続処理機能１０２１は、上記遠隔サイト一括集中監視システム４と上記遠隔サイトデ−タ入出力システム１０との接続命令を上記ダイアルアップル−タ（ファイアウォ−ル）２に発行する。当該接続命令により上記ダイアルアップル−タ（ファイアウォ−ル）２を介して上記ＷＡＮ５の回線５０１が上記遠隔サイト一括集中監視システム４と接続状態となった後、上記最適運転計算装置１の上記設備運転情報ファイル通信手段１０２の通信処理機能１０２２は、上記遠隔サイトデ−タ入出力システム１０内の上記デ−タ入出力制御装置８から上記遠隔サイトＡ内の上記設備運転情報ファイル８０２４（図３に図示の設備運転情報ファイル８０２４）を、上記遠隔サイト一括集中監視システム４内の上記最適運転計算装置１の監視センタ−内設備運転情報ファイル１０２３に読み込む。上述の通信処理機能１０２２による通信処理完了後は、上記遠隔サイト一括集中監視システム４の上記設備運転情報ファイル通信手段１０２の通信断処理機能１０２４により、上記遠隔サイト一括集中監視システム４と上記遠隔サイトデ−タ入出力システム１０との上述の通信接続を切断する。
【００２４】
なお、上述の通信接続〜通信切断の説明は遠隔サイトＡを対象としたが、他の遠隔サイト〜Ｎの各々の場合も同様に、通信接続処理機能１０２１は、上記遠隔サイト一括集中監視システム４と上記遠隔サイトデ−タ入出力システム１０とを接続する接続命令を上記ダイアルアップル−タ（ファイアウォ−ル）２に発行する。当該接続命令により上記ダイアルアップル−タ（ファイアウォ−ル）２を介して上記ＷＡＮ５の回線５０１が上記遠隔サイト一括集中監視システム４と接続状態となった後、上記最適運転計算装置１の上記設備運転情報ファイル通信手段１０２の通信処理機能１０２２は、上記各遠隔サイトデ−タ入出力システム〜１０ｎ内の上記デ−タ入出力制御装置８から上記各遠隔サイト〜Ｎ内の上記設備運転情報ファイル８０２４を、上記遠隔サイト一括集中監視システム４内の上記最適運転計算装置１の監視センタ−内設備運転情報ファイル１０２３に読み込む。上述の通信処理機能１０２２による通信処理完了後は、上記遠隔サイト一括集中監視システム４の上記設備運転情報ファイル通信手段１０２の通信断処理機能１０２４により、上記遠隔サイト一括集中監視システム４と上記各遠隔サイトデ−タ入出力システム〜１０ｎとの上述の通信接続を切断する。
【００２５】
上記遠隔サイト一括集中監視システム４における上記最適運転計算装置１の上記最適運転スケジュ−ル計算手段１０３のデ−タフロ−を示す図７において、エネルギ−最適運用計算処理機能１０３１は、遠隔サイトＡに関する監視センタ−内設備運転情報ファイル１０２３（図６の監視センタ−内設備運転情報ファイル１０２３）と遠隔サイトＡに関する遠隔サイト情報デ−タベ−ス１０３２とからデ−タを入力してコストが最小となるコスト最小運転スケジュ−ルを計算し、遠隔サイトＡに関する監視センタ−内運転スケジュ−ルファイル１０３３へ出力する。
【００２６】
なお、上述のコスト最小運転スケジュ−ル計算の説明は遠隔サイトＡを対象としたが、他の遠隔サイト〜Ｎの各々の場合も同様に、上記エネルギ−最適運用計算処理機能１０３１は、上記遠隔サイト〜Ｎの各々に関する監視センタ−内設備運転情報ファイル１０２３（図６の監視センタ−内設備運転情報ファイル１０２３）と上記遠隔サイト〜Ｎの各々に関する遠隔サイト情報デ−タベ−ス１０３２とからデ−タを入力してコストが最小となるコスト最小運転スケジュ−ルを計算し、上記遠隔サイト〜Ｎの各々に関する監視センタ−内運転スケジュ−ルファイル１０３３へ出力する。
【００２７】
上記遠隔サイト一括集中監視システム４における上記最適運転計算装置１の上記上記運転スケジュ−ルファイル通信手段１０４のデ−タフロ−を示す図８において、通信接続処理機能１０４１は、上記遠隔サイト一括集中監視システム４と遠隔サイトＡの遠隔サイトデ−タ入出力システム１０とを接続する接続命令を上記ダイアルアップル−タ（ファイアウォ−ル）２に発行する。当該接続命令により、上記ダイアルアップル−タ（ファイアウォ−ル）２を介して上記ＷＡＮ５の回線５０１が上記遠隔サイト一括集中監視システム４と接続状態となった後、上記最適運転計算装置１の上記運転スケジュ−ルファイル通信手段１０４の通信処理機能１０４２は、上記遠隔サイト一括集中監視システム４内の上記最適運転計算装置１の監視センタ−内運転スケジュ−ルファイル１０３３を、上記遠隔サイトＡの遠隔サイトデ−タ入出力システム１０内の遠隔サイト内運転スケジュ−ルファイル８０３３に書き込む。上述の通信処理機能１０４２による通信処理完了後は、上記遠隔サイト一括集中監視システム４の上記運転スケジュ−ルファイル通信手段１０４の通信断処理機能１０４３により、上記遠隔サイト一括集中監視システム４と上記遠隔サイトデ−タ入出力システム１０との上述の通信接続を切断する。
【００２８】
なお、上述の通信接続〜通信切断の説明は遠隔サイトＡを対象としたが、他の遠隔サイト〜Ｎの各々の場合も同様に、通信接続処理機能１０４１は、上記遠隔サイト一括集中監視システム４と遠隔サイト〜Ｎの遠隔サイトデ−タ入出力システム〜１０ｎの各々とを接続する接続命令を、上記ダイアルアップル−タ（ファイアウォ−ル）２に発行する。当該接続命令により上記ダイアルアップル−タ（ファイアウォ−ル）２を介して上記ＷＡＮ５の回線５０１が上記遠隔サイト一括集中監視システム４と接続状態となった後、上記最適運転計算装置１の上記運転スケジュ−ルファイル通信手段１０４の通信処理機能１０４２は、上記遠隔サイト一括集中監視システム４内の上記最適運転計算装置１の監視センタ−内運転スケジュ−ルファイル１０３３を、上記遠隔サイト〜Ｎの各々の遠隔サイトデ−タ入出力システム〜１０ｎ内の遠隔サイト内運転スケジュ−ルファイル８０３３に書き込む。上述の通信処理機能１０４２による通信処理完了後は、上記遠隔サイト一括集中監視システム４の上記運転スケジュ−ルファイル通信手段１０４の通信断処理機能１０４３により、上記遠隔サイト一括集中監視システム４と上記各々の遠隔サイトデ−タ入出力システム１０ｎとの上述の通信接続を切断する。
【００２９】
上記遠隔サイト一括集中監視システム４における上記最適運転計算装置１の上記計算通信制御定数入力手段１０５のデ−タフロ−を示す図９において、入力受付処理機能１０５１は、上記遠隔サイトＡ〜Ｎ毎の通信周期、計算周期、機器仕様等の設定定数１０５２を上記最適運転計算装置１に手入力し、上記計算通信制御情報デ−タベ−ス１０１２と上記遠隔サイト情報デ−タベ−ス１０３２とにデ−タを作成する。
【００３０】
上述の図２〜図８の処理は、上記複数の遠隔サイトＡ〜Ｎの各々について、図２の処理、図３の処理、図４の処理、図５の処理、図６の処理、図７の処理、そして図２の処理、の順に個別に行われる。また、複数の遠隔サイトＡ〜Ｎの各々についてのこれらの処理は、例えば、一の遠隔サイト（例えばＡ）について図２〜図８の処理を実行した後に、他の遠隔サイト（例えばＢ（図示せず））について図２〜図８の処理を実行するようにしてもよいし、他の実行方法、例えば、図２の処理を複数の遠隔サイトＡ〜Ｎの各々について実行した後、図３の処理を複数の遠隔サイトＡ〜Ｎの各々について実行し、次いで、図４の処理を複数の遠隔サイトＡ〜Ｎの各々について実行し、以下同様にして、図５の処理〜図８の処理まで順に複数の遠隔サイトＡ〜Ｎの各々について実行するようにしてもよい。
【００３１】
上述のように、この発明の実施の形態１に例示される複数遠隔サイトの最適化運転制御システムは、エネルギ−を消費するエネルギ−需要設備に対し少なくとも一のエネルギ−供給設備からエネルギ−を購入して供給する装置を持つ複数の遠隔サイトＡ〜Ｎの各々からエネルギ−情報をＷＡＮ５経由で遠隔サイト一括集中監視システム４で受信し、受信したそれぞれのエネルギ−情報を用いて各遠隔サイトＡ〜Ｎにおけるエネルギ−コストが最小となるように使用エネルギ−制御スケジュ−ルを上記遠隔サイト一括集中監視システム４で計算し、当該使用エネルギ−制御スケジュ−ルをＷＡＮ５経由で各遠隔サイトＡ〜Ｎのそれぞれに送信し、当該使用エネルギ−制御スケジュ−ルにより各遠隔サイトＡ〜Ｎでエネルギ−需要設備及びエネルギ−供給設備を制御運転するものである。
【００３２】
また、この発明の実施の形態１に例示される複数遠隔サイトの最適化運転制御システムは、具体的には、各遠隔サイトＡ〜Ｎの設備運転情報をデ−タ入出力制御装置８に入力する各遠隔サイトＡ〜Ｎの設備運転情報デ−タ入力手段８０１と、その入力したデ−タを設備運転情報ファイル８０２４として各遠隔サイトＡ〜Ｎのデ−タ入出力制御装置８からサイト一括集中監視センタ−４に設置のエネルギ−最適運転計算装置１にＷＡＮ５経由でデ−タ通信する設備運転情報ファイル通信手段１０２と、その各遠隔サイトＡ〜Ｎの設備運転情報のデ−タファイル８０２４を使用してエネルギ−最適運転スケジュ−ル計算を行う最適運転スケジュ−ル計算手段１０３と、そのスケジュ−ル計算結果を表示・印刷する計算結果出力手段（図示省略）と、そのスケジュ−ル計算結果デ−タを運転スケジュ−ルファイル１０３３としてエネルギ−最適運転計算装置１から遠隔の各現場サイトＡ〜Ｎのデ−タ入出力制御装置８にＷＡＮ５経由で通信する運転スケジュ−ルファイル通信手段１０４と、設備運転情報ファイル通信手段１０２と最適運転スケジュ−ル計算手段１０３と運転スケジュ−ルファイル通信手段１０４とを遠隔の各現場サイトＡ〜Ｎ毎に決められた周期で実行する計算通信処理周期制御手段１０１と、その計算手段、必要なサイト毎の設備仕様をもつサイト情報デ−タベ−ス１０３２と、計算通信処理周期制御手段１０１に必要な実行順序、実行周期等の定数をもつ計算通信制御情報デ−タベ−ス１０１２を設定入力する計算通信制御定数入力手段１０５と、各遠隔の各現場サイトＡ〜Ｎに運転スケジュ−ルファイル１０３３として送信された運転スケジュ−ルデ−タを遠隔の各現場サイトＡ〜Ｎの入出力制御装置８により出力する運転スケジュ−ル出力手段８０３と、設備運転情報デ−タ入力手段８０２と運転スケジュ−ル出力手段８０３を遠隔の各現場サイトＡ〜Ｎで定められた固定周期で周期的に実行するデ−タ入出力周期制御手段８０１を備えたものでもある
【００３３】
また、この発明の実施の形態１に例示される複数遠隔サイトの最適化運転制御システムは、概念的には、それぞれ対応するエネルギ−需要設備にエネルギ−供給設備からのエネルギ−を供給する複数の遠隔サイトＡ〜Ｎのそれぞれのエネルギ−情報をネットワ−ク５を介して遠隔サイト一括集中監視システム４で受信し、受信したそれぞれのエネルギ−情報を用いて各遠隔サイトＡ〜Ｎにおけるエネルギ−コストが最小となるように使用エネルギ−制御スケジュ−ルを上記遠隔サイト一括集中監視システム４により計算し、当該使用エネルギ−制御スケジュ−ルを上記遠隔サイト一括集中監視システム４から上記ネットワ−ク５経由で各遠隔サイトＡ〜Ｎのそれぞれに送信し、各遠隔サイトＡ〜Ｎにおいて上記送信された使用エネルギ−制御スケジュ−ルにより対応するエネルギ−需要設備及び対応するエネルギ−供給設備を制御運転するものである。
【００３４】
更に、この発明の実施の形態１に例示される複数遠隔サイトの最適化運転制御システムは、より概念的には、それぞれ対応するエネルギ−需要設備にエネルギ−供給設備からのエネルギ−を供給する複数の遠隔サイトＡ〜Ｎのそれぞれのエネルギ−情報をネットワ−ク５を介して遠隔サイト一括集中監視システム４で収集し、収集したそれぞれのエネルギ−情報を用いて各遠隔サイトＡ〜Ｎにおけるエネルギ−コストが最小となるように使用エネルギ−制御スケジュ−ルを上記遠隔サイト一括集中監視システム４により計算し、各遠隔サイトＡ〜Ｎにおいて、上記遠隔サイト一括集中監視システム４から上記ネットワ−ク５経由で得た当該使用エネルギ−制御スケジュ−ルにより対応するエネルギ−需要設備及び対応するエネルギ−供給設備を制御運転するものである。
【００３５】
ここで、従来のエネルギ−最適運転制御システムを図１を参照して説明すると、従来のエネルギ−最適運転制御システムは上述のように、リアルタイムにエネルギ−最適運転を計算することで運転効率を上げることを狙いとし、エネルギ−最適運転計算装置は制御対象機器９〜９ｎが設置されている各現場サイトＡ〜Ｎに設置し、つまり、この発明の実施の形態１におけるデ−タ入出力装置８をエネルギ−最適運転計算装置として、各現場サイトＡ〜Ｎにおいて各現場サイトＡ〜Ｎのエネルギ−最適運転計算装置で計算を個別に行い、計算結果である制御情報はエネルギ−最適運転計算装置と制御対象機器９〜９ｎとの間のＬＡＮ経由で通信を行う手段をとっている。この従来方式は、確かに運転効率が上がり、ランニングコストは削減できるが、現場サイトＡ〜Ｎごとに、エネルギ−最適運転計算装置での計算を実行するために必要なエネルギ−最適運転制御システム用ハ−ドウェア、ソフトウェアパッケ−ジを用意し、設置、調整する必要があるため、初期導入費用がランニングコスト削減分に比べ可成り高価となる。また、同様に初期導入費用がコ−ジェネレ−ションシステム総コストに占める割合も高くなるため、省コストを大きな狙いとしてコ−ジェネレ−ションシステムを導入するユ−ザにとっては、エネルギ−最適運転制御システムの導入は初期導入の段階で狙いに反する状態となる。その結果、エネルギ−最適運転制御システムの導入が進まないという問題が出ている。
【００３６】
この従来方式に対し、この発明の実施の形態１は、それぞれ対応するエネルギ−需要設備にエネルギ−供給設備からのエネルギ−を供給する複数の遠隔サイトＡ〜Ｎのそれぞれのエネルギ−情報をネットワ−ク５を介して遠隔サイト一括集中監視システム４で収集し、収集したそれぞれのエネルギ−情報を用いて各遠隔サイトＡ〜Ｎにおけるエネルギ−コストが最小となるように使用エネルギ−制御スケジュ−ルを上記遠隔サイト一括集中監視システム４により計算し、各遠隔サイトＡ〜Ｎにおいて、上記遠隔サイト一括集中監視システム４から上記ネットワ−ク５経由で得た当該使用エネルギ−制御スケジュ−ルにより対応するエネルギ−需要設備及び対応するエネルギ−供給設備を制御運転する複数遠隔サイトのエネルギ−運転制御システムとしたので、遠隔の各現場サイトＡ〜Ｎには、エネルギ−最適運転計算装置の設置が不要で、デ−タ入出力制御装置のみとなり、遠隔の各現場サイトＡ〜Ｎでは、エネルギ−運転制御システム用ハ−ドウェア設備、ソフトウェアパッケ−ジ分、初期導入コストを削減でき、安価にシステムを提供できる。
【００３７】
また、遠隔の各現場サイトＡ〜Ｎが、遠隔サイト一括集中監視システム４の最適運転計算ソフトウェアパッケ−ジを共有するので、システム標準化、システム改善、システムバ−ジョンアップ、トラブル対応、トラブル対策水平展開等、を容易に行うことができ、高品質なサ−ビスを提供できる。
【００３８】
また、最適運転計算装置１は遠隔サイト一括集中監視システム４にあるので、季節毎の設定値変更、機器仕様変更等の保守、現場サイトに出向いての調整が不要であり、保守コストも削減でき、安価に保守サ−ビスを提供できる。
【００３９】
また、遠隔の各現場サイトＡ〜Ｎにおいて初期導入費用がランニングコスト削減分に比べ可成り安価となり、また、同様に初期導入費用がコ−ジェネレ−ションシステム総コストに占める割合も低くなるため、省コストを大きな狙いとしてコ−ジェネレ−ションシステムを導入するユ−ザがエネルギ−最適運転制御システムの導入を積極的に進めることが期待できる。
【００４０】
なお、上述の図１のＷＡＮ５は、海外向け遠隔最適制御や常時接続短周期遠隔最適制御」を目的としてインタ−ネトを使用することも可能である。その場合、上記遠隔サイトデ−タ入出力システム１０〜１０ｎ及び上記遠隔サイト一括集中監視システム４は、インタ−ネト常時接続として使用すると共に、上記ファイアウォ−ル機能を有したダイアルアップル−タ２、６はセキュリティ機能の強力なものを使用する。
【００４１】
実施の形態２．
図１０はこの発明の実施の形態２の概略システム構成の一例を示す図で、図１におけるＷＡＮ５に代え一般のアナログ電話回線網１１を使用し、図１におけるダイアルアップル−タ２，６に代えモデム１２，１３を使用するものであり、その他については図１と同じ構成、同じ機能である。つまり、エネルギ−を消費するエネルギ−需要設備に対し少なくとも一のエネルギ−供給設備からエネルギ−を購入して供給する装置を持つ複数の遠隔サイトＡ〜Ｎの各々からエネルギ−情報をアナログ電話回線１１経由で遠隔サイト一括集中監視システム４で受信し、受信したそれぞれのエネルギ−情報を用いて各遠隔サイトＡ〜Ｎにおけるエネルギ−コストが小さくなるように使用エネルギ−制御スケジュ−ルを上記遠隔サイト一括集中監視システム４で計算し、当該使用エネルギ−制御スケジュ−ルをアナログ電話回線１１経由で各遠隔サイトＡ〜Ｎのそれぞれに送信し、当該使用エネルギ−制御スケジュ−ルにより各遠隔サイトＡ〜Ｎでエネルギ−需要設備及びエネルギ−供給設備を制御運転する複数遠隔サイトの最適化運転制御システム。
【００４２】
この発明の実施の形態２の場合は、遠隔サイトＡ〜Ｎの各ユ−ザ使用しているアナログ電話回線をそのまま用いてシステム構成が可能であるので、ＷＡＮを使用する場合に比べ、システム導入が容易であると共に、ハッカ−等による外部からの侵入が避けられる。
【００４３】
【発明の効果】
この発明による複数遠隔サイトの最適化運転制御システムは、それぞれ対応するエネルギ−需要設備にエネルギ−供給設備からのエネルギ−を供給する複数の遠隔サイトのそれぞれのエネルギ−情報をネットワ−クを介して遠隔サイト一括集中監視システムで収集し、収集したそれぞれのエネルギ−情報を用いて各遠隔サイトにおけるエネルギ−コストが小さくなるように使用エネルギ−制御スケジュ−ルを上記遠隔サイト一括集中監視システムにより計算し、各遠隔サイトにおいて、上記遠隔サイト一括集中監視システムから上記ネットワ−ク経由で得た当該使用エネルギ−制御スケジュ−ルにより対応するエネルギ−需要設備及び対応するエネルギ−供給設備を制御運転するようにしたので、遠隔の各現場サイトには、エネルギ−最適運転計算装置の設置が不要で、遠隔の各現場サイトでは、エネルギ−運転制御システム用ハ−ドウェア設備、ソフトウェアパッケ−ジ分、初期導入コストを削減でき、また、最適運転計算装置１は遠隔サイト一括集中監視システム４にあるので、季節毎の設定値変更、機器仕様変更等の保守、現場サイトに出向いての調整が不要であり、保守コストも削減でき、また、遠隔の各現場サイトにおいて初期導入費用がランニングコスト削減分に比べ安価となり、また、同様に初期導入費用がコ−ジェネレ−ションシステム総コストに占める割合も低くなるため、省コストを大きな狙いとしてコ−ジェネレ−ションシステムを導入するユ−ザがエネルギ−最適運転制御システムの導入を積極的に進めることが期待できる効果がある。
【図面の簡単な説明】
【図１】この発明の実施の形態１の概略システム構成の一例を示す図。
【図２】図１におけるデ−タ入出力処理周期制御手段のデ−タフロ−を示す図。
【図３】図１における設備運転情報デ−タ入力手段のデ−タフロ−を示す図。
【図４】図１における運転スケジュ−ル出力手段のデ−タフロ−を示す図。
【図５】図１における計算通信処理周期制御手段のデ−タフロ−を示す図。
【図６】図１における設備運転情報ファイル通信手段のデ−タフロ−を示す図。
【図７】図１における最適運転スケジュ−ル計算手段のデ−タフロ−を示す図。
【図８】図１における運転スケジュ−ルファイル通信手段のデ−タフロ−を示す図。
【図９】図１における計算通信制御定数入力手段のデ−タフロ−を示す図。
【図１０】この発明の実施の形態２の概略システム構成の一例を示す図。
【符号の説明】
１  最適運転計算装置、          １０１  計算通信処理周期制御手段、
１０２  設備運転情報ファイル通信手段、
１０３  最適運転スケジュ−ル計算手段、
１０４  運転スケジュ−ルファイル通信手段、
１０５  計算通信制御定数入力手段、
２  ダイアルアップル−タ（ファイアウォ−ル）、
３  ＬＡＮ、                      ４  遠隔サイト一括集中監視システム、
５  ＷＡＮ、
６  ダイアルアップル−タ（ファイアウォ−ル）、
７  ＬＡＮ、                      ８  デ−タ入出力制御装置、
８０１  デ−タ入出力処理周期制御手段、
８０２  設備運転情報デ−タ入力手段、
８０３運転スケジュ−ル出力手段、
９〜９ｎ  エネルギ−供給設備／需要設備（コ−ジェネレ−ション機器、空調機器、給湯機器）、
１０  遠隔サイトデ−タ入出力システム、
１１  アナログ電話回線網、        １２  モデム、
１３  モデム、                    Ａ〜Ｎ  遠隔サイト。
【図１】
2004213420.tif 000003
【図２】
2004213420.tif 000004
【図３】
2004213420.tif 000005
【図４】
2004213420.tif 000006
【図５】
2004213420.tif 000007
【図６】
2004213420.tif 000008
【図７】
2004213420.tif 000009
【図８】
2004213420.tif 000010
【図９】
2004213420.tif 000011
【図１０】
2004213420.tif 000012